(57)【要約】  レコーダ（１００）は、スマートフォン（２００）に対して電力供給を行う非接触充電モジュール（１６０）と、スマートフォン（２００）との通信を行うＷｉＦｉモジュール（１７０）と、スマートフォン（２００）からの問い合わせを受け付けると、非接触充電モジュール（１６０）がスマートフォン（２００）に対して電力供給を行っているか否かを示す充電情報を、スマートフォン（２００）に対して通知させるマイコン（１３０）と、を備える。
2013080393.tif 000002
【特許請求の範囲】
【請求項１】
外部機器に対して電力供給を行う充電部と、
外部機器と通信を行う通信部と、
前記通信部を介して、外部機器からの問い合わせを受け付けると、前記充電部が電力供給を行っているか否かを示す充電情報を、前記問い合わせを受け付けた外部機器に対して通知するよう前記通信部を制御する制御部と、を備える、
充電装置。
【請求項２】
前記充電情報は、前記充電部による充電状態を示す充電状態フラグ、及び前記充電部による充電に関連する時間情報のうち少なくとも一つを含む、
請求項１に記載の充電装置。
【請求項３】
前記充電部は、前記被充電装置から前記被充電装置内のバッテリの残容量に関する残容量情報を受信でき、
前記充電情報は、前記残容量情報を含む、
請求項１又は２に記載の充電装置。
【請求項４】
外部機器に対して電力供給を受け付ける被充電部と、
外部機器と通信を行う通信部と、
コンテンツを記憶する記憶部と、
前記通信部を介して外部機器から取得した該外部機器が電力供給を行っているか否かを示す充電情報の内容に応じて、前記記憶部に記憶している前記コンテンツの全部又は一部を前記外部機器に送信するよう前記通信部を制御する制御部と、を備える、
被充電装置。
【請求項５】
前記充電情報は、前記外部機器による充電状態を示す充電状態フラグ、前記外部機器による充電に関連する時間情報、及び前記外部機器の充電対象内のバッテリの残容量に関する残容量情報のうち少なくとも一つを含む、
請求項４に記載の被充電装置。
【請求項６】
前記制御部は、前記外部機器が電力供給を行っている場合には、前記記憶部に記憶しているコンテンツの全部又は一部を前記外部機器に送信するよう前記通信部を制御し、前記外部機器が電力供給を行っていない場合には、前記記憶部に記憶しているコンテンツを前記外部機器に送信するよう前記通信部を制御しない、
請求項４又は５に記載の被充電装置。
【請求項７】
前記制御部は、前記外部機器が電力供給を行っている場合には、前記外部機器に対してコンテンツの送信を要求するよう前記通信部を制御し、前記外部機器が電力供給を行っていない場合には、前記外部機器に対してコンテンツの送信を要求するよう前記通信部を制御しない、
請求項４乃至６のいずれかに記載の被充電装置。
【発明の詳細な説明】
【技術分野】
【０００１】
本発明は充電装置に関し、特に、外部機器を充電できる充電装置に関する。また、本発明は被充電装置に関し、特に、外部機器からの充電を受け付けられる被充電装置に関する。
【背景技術】
【０００２】
特許文献１は、携帯電話端末に対して無接点にて充電が可能な無接点充電装置を開示する。この無接点充電装置は、平面コイルを用いて無接点にて携帯電話端末に対して充電用電力を伝送する。この無接点充電装置は、携帯電話端末に対して電力を伝送するのに先立ち、充電用電力伝送の許可認証と、携帯電話端末へのデータ配信の許可認証のための認証用の情報信号とを用いて携帯電話端末の認証を行う。この無接点充電装置は、認証ができた時には、予め用意した充電引換配信データを携帯電話端末へ送信する。その後、この無接点充電装置は、その携帯電話端末への充電電力の伝送を行う。【０００３】
これにより、この無接点充電装置は、ＡＣアダプタやコネクタを用いずに携帯電話端末を充電できる。また、この無接点充電装置は、認証用情報信号に基づいて携帯電話端末へのデータ配信を行うため、携帯電話端末のユーザにとって不要なデータの配信を行うことがない。また、この無接点充電装置は、充電用電力の伝送をデータ配信と引き換えに行うため、複雑な電気料金の計算や設備を要せず且つ電力供給による不利益を被ることなく、携帯電話端末へ充電電力を供給できる。
【先行技術文献】
【特許文献】
【０００４】
【特許文献１】特開２００８−２９５１９１号公報
【発明の概要】
【０００５】
（発明が解決しようとする課題）
上記特許文献１に開示されている無接点充電装置は、充電用電力を伝送する平面コイルを用いて、許可認証のための情報信号の送信を行う。従って、上記特許文献１に開示されている無接点充電装置においては、電力の充電先の装置と、データの送信先の装置とが異なるということが生じない。
【０００６】
しかしながら、無接点充電に関しては平面コイルを介して行い、データの送信に関しては平面コイルとは別の系を介して行う場合には、充電先の装置と、データの送信先の装置が異なってしまう場合も生じうる。
本発明は、自装置が充電している被充電装置のみからデータを受信できる充電装置を提供することを目的とする。また、本発明は、自装置が充電を受け付けている充電装置にのみデータを送信できる被充電装置を提供することを目的とする。
（課題を解決するための手段）
上記課題を解決するために、本発明にかかる充電装置は、外部機器に対して電力供給を行う充電部と、外部機器と通信を行う通信部と、通信部を介して、外部機器からの問い合わせを受け付けると、充電部が電力供給を行っているか否かを示す充電情報を、問い合わせを受け付けた外部機器に対して通知するよう通信部を制御する制御部と、を備える。
【０００７】
また、本発明にかかる被充電装置は、外部機器に対して電力供給を受け付ける被充電部と、外部機器と通信を行う通信部と、コンテンツを記憶する記憶部と、通信部を介して外部機器から取得した外部機器が電力供給を行っているか否かを示す充電情報の内容に応じて、記憶部に記憶しているコンテンツの全部又は一部を外部機器に送信するよう通信部を制御する制御部と、を備える。
（発明の効果）
本発明によれば、自装置が充電している被充電装置のみからデータを受信できる充電装置を提供できる。また、本発明によれば、自装置が充電を受け付けている充電装置にのみデータを送信できる被充電装置を提供できる。
【図面の簡単な説明】
【０００８】
【図１】実施の携帯１のレコーダとスマートフォンの外観模式図
【図２】実施の形態１のレコーダとスマートフォンのブロック図
【図３】実施の形態１のレコーダの制御を示すフローチャート
【図４】実施の形態１における充電状態フラグと充電開始時刻とについて説明するための模式図
【図５】実施の形態１のレコーダの制御を示すフローチャート
【図６】実施の形態１のスマートフォンの制御を示すフローチャート
【図７】実施の形態１のレコーダとスマートフォンの動作例を示すフローチャート
【図８】実施の形態１のスマートフォンの画面における表示例を示す図
【発明を実施するための形態】
【０００９】
本発明をレコーダとスマートフォンとに適用した実施の形態１について図面を用いて説明する。
１．実施の形態１
１−１．概要
本実施形態の概要について図１を用いて説明する。図１は、本実施形態にかかる充電システム１の外観模式図である。充電システム１は、レコーダ１００とスマートフォン２００とによって構成されている。レコーダ１００は、画像データ等のデータを記憶するレコーダである。スマートフォン２００は、画像データ等のデータを記憶するスマートフォンである。レコーダ１００は、非接触充電モジュール１６０を介して、スマートフォン２００に含まれるバッテリに対して無接触充電を行える。
【００１０】
また、レコーダ１００は、スマートフォン２００が記憶している画像データ等のデータをスマートフォン２００と無線ＬＡＮ通信することで受信できる。レコーダ１００は、スマートフォン２００から受信したデータを内部のＨＤＤに記録できる。
レコーダ１００は、自装置が充電を行っているスマートフォン２００からのみ画像データ等のデータを受信する。また、スマートフォン２００は、自装置が充電を受け付けているレコーダ１００にのみ画像データ等のデータを送信する。
【００１１】
なお、レコーダ１００は、スマートフォン２００にとっての外部機器であり、スマートフォン２００は、レコーダ１００にとっての外部機器である。
１−２．構成
本実施の形態にかかるレコーダ１００の構成について図２を用いて説明する。図２は、レコーダ１００とスマートフォン２００の構成を示すブロック図である。
【００１２】
レコーダ１００は、アンテナ１１０を介して放送を受信する。レコーダ１００は、受信した放送に対してマイコン１３０により圧縮等の各種画像処理を施し動画像データを生成する。レコーダ１００は、生成した動画像データをＨＤＤ１８０に記録する。また、レコーダ１００は、ＨＤＤ１８０に記録している動画像データをマイコン１３０により復号等の各種画像処理を施す。レコーダ１００は、復号後のデータをＨＤＭＩモジュール１９０を介して外部のテレビ等に出力する。また、レコーダ１００は、ＡＣ電源１５０を介して取得した電力を、非接触充電モジュール１６０を介してスマートフォン２００等の外部機器のバッテリに伝送する。
【００１３】
スマートフォン２００は、３Ｇアンテナ２４０を介して、他のスマートフォン等と通信を行う。スマートフォン２００は、３Ｇアンテナ２４０を介して他のスマートフォン等から受信した音声に対して、マイコン２５０により各種処理を行う。スマートフォン２００は、処理後の音声をスピーカ２４５から出力する。また、スマートフォン２００は、マイク２４６を介して入力を受け付けた音声に対して、マイコン２５０により各種処理を行う。スマートフォン２００は、処理後の音声データを３Ｇアンテナ２４０を介して他のスマートフォン等に送信する。また、スマートフォン２００は、カメラ２３０により撮像した画像データに対してマイコン２５０により圧縮等の各種画像処理を施し動画像データを生成する。スマートフォン２００は、生成した動画像データをメモリカード２７５に記録する。スマートフォン２００は、非接触被充電モジュール２１０を介して外部機器から受信した電力をバッテリ２２０に充電する。
【００１４】
以下、レコーダ１００とスマートフォン２００の各構成について詳細に説明する。まずはレコーダ１００の詳細について説明する。
１−２−１．レコーダ１００の構成
レコーダ１００は、アンテナ１１０、チューナ１２０、マイコン１３０（制御部の一例）、フラッシュメモリ１３５、サブマイコン１４０、ＡＣ電源１５０、非接触充電モジュール１６０（充電部の一例）、ＷｉＦｉモジュール１７０（通信部の一例）、リモコン受信部１７５、リモコン１７８、ＨＤＤ１８０、ＨＤＭＩモジュール１９０を備える。
【００１５】
アンテナ１１０は、放送局からの放送を受信するアンテナである。アンテナ１１０は、地上デジタル放送を受信するＵＨＦアンテナ若しくはＢＳ／ＣＳデジタル放送を受信するためのパラボラアンテナ等で構成される。
チューナ１２０は、アンテナ１１０を介して受信した電波のうち、使用者が選局しているチャンネルの電波を抽出する。チューナ１２０は、抽出した電波に基づいて、マイコン１３０が処理可能なデジタルデータを生成する。
【００１６】
マイコン１３０は、レコーダ１００全体を制御する制御モジュールである。本実施形態において、マイコン１３０は、ＳＯＣ（Ｓｙｓｔｅｍ Ｏｎ Ｃｈｉｐ）で構成される。従って、マイコン１３０は、ＣＰＵ、メモリ、データ信号処理回路を一体として構成される。マイコン１３０は、高性能な半導体で構成されており処理性能が高い。一方、マイコン１３０は、高い消費電力を要する。そのため、マイコン１３０は、テレビ放送録画、ネットワーク通信等の主機能を利用する場合を除き停止している。
【００１７】
フラッシュメモリ１３５は、書き換え可能な不揮発性の半導体メモリである。フラッシュメモリ１３５は、レコーダ１００の動作に必要となるＯＳ（Ｏｐｅｒａｔｉｎｇ Ｓｙｓｔｅｍ）や各種制御プログラム等を記憶している。マイコン１３０は、起動時にフラッシュメモリ１３５に記憶されているＯＳ等を読み出す。マイコン１３０は、読み出したＯＳ等をマイコン１３０内部のメモリに展開し、マイコン１３０内部のＣＰＵで実行する。
【００１８】
サブマイコン１４０は、マイコン１３０とは異なりＡＣ電源１５０がコンセントに接続されている限り常時動作しているマイコンである。サブマイコン１４０は、マイコン１３０と比較して処理能力が低い分、消費電力も低い。サブマイコン１４０は、レコーダ１００のタイマー録画機能等を実現するため、内部に時計とマイコン１３０を起動するためのタイムスケジュールとを保持している。サブマイコン１４０は、内部の時計がマイコン１３０の次回起動時間を示した時点で、マイコン１３０に対して起動指示を発行する。また、サブマイコン１４０は、非接触充電モジュール１６０による外部機器への電力伝送が開始された場合にもマイコン１３０に起動指示を発行する。また、サブマイコン１４０は、リモコン受信部１７５を介して起動指示を受け付けた場合にもマイコン１３０に対して起動指示を発行する。
【００１９】
ＡＣ電源１５０は、家庭用商用電源のコンセントから電力供給を受け付ける。非接触充電モジュール１６０は、ＡＣ電源１５０から電力供給を受け付ける。非接触充電モジュール１６０は、電磁誘導方式により被充電装置（本実施形態では、スマートフォン２００）の非接触被充電モジュール２１０に電力供給を行う充電モジュールである。非接触充電モジュール１６０は、被充電装置が非接触充電モジュール１６０に近接したことを検出できる。非接触充電モジュール１６０は、被充電装置の近接を検出するのに応じて、被充電装置への充電を開始する。また、非接触充電モジュール１６０は、被充電装置への充電を開始すると、その旨を示す充電開始信号をサブマイコン１４０に送信する。なお、非接触充電モジュール１６０は、ワイヤレス給電の国際標準規格である「Ｑｉ」規格に準拠している。
【００２０】
ＷｉＦｉモジュール１７０は、無線ＬＡＮ通信可能な通信モジュールである。ＷｉＦｉモジュール１７０は、無線ＬＡＮ通信の国際標準規格である「ＩＥＥＥ８０２．１１」規格に準拠している。ＷｉＦｉモジュール１７０は、スマートフォン２００のＷｉＦｉモジュール２７０とＩＰ（Ｉｎｔｅｒｎｅｔ Ｐｒｏｔｏｃｏｌ）により通信できる。また、ＷｉＦｉモジュール１７０は、アクセスポイント２８０を介して宅内機器等とＩＰにより通信できる。
【００２１】
リモコン受信部１７５は、リモコン１７８から送信される赤外線またはＲＦ波に変調された制御信号を受信する。例えば、リモコン受信部１７５は、電源ＯＮ／ＯＦＦ、チャンネル切替、録画開始／停止等の制御信号を受信する。リモコン受信部１７５は、受信した制御信号をサブマイコン１４０が解釈できるデジタル信号に変換する。
リモコン１７８は、使用者がレコーダ１００を遠隔操作するための操作機器である。リモコン１７８には各種ボタンが設けられている。使用者が、リモコン１７８上のボタンを操作することにより、レコーダ１００を遠隔操作できる。
【００２２】
ＨＤＤ１８０は、動画像データ等を記憶する記憶装置である。ＨＤＤ１８０は、アンテナ１１０を介して受信した放送番組を示す動画像データや、ＷｉＦｉモジュール１７０を介してスマートフォン２００等の外部機器から受信した画像データ等のデータを記憶する。
ＨＤＭＩモジュール１９０は、レコーダ１００とテレビ等の外部機器とを接続するインターフェースである。レコーダ１００は、ＨＤＭＩモジュール１９０を介してＨＤＤ１８０に記憶されている動画像データが示す動画像等を外部機器に対して出力できる。
【００２３】
１−２−２．スマートフォン２００の構成
次に、スマートフォン２００の構成の詳細について説明する。スマートフォン２００は、非接触被充電モジュール２１０（被充電部の一例）、バッテリ２２０、カメラ２３０、３Ｇアンテナ２４０、スピーカ２４５、マイク２４６、マイコン２５０（制御部の一例）、フラッシュメモリ２６０、ＷｉＦｉモジュール２７０（通信部の一例）、メモリカード２７５（記憶部の一例）、液晶モニタ２７８（表示部の一例）を備える。
【００２４】
非接触被充電モジュール２１０は、電磁誘導方式により非接触充電モジュール１６０から電力供給を受け付ける被充電モジュールである。非接触被充電モジュール２１０は、供給を受けた電力をバッテリ２２０に充電できる。非接触被充電モジュール２１０は、バッテリ２２０への充電開始とともに、バッテリ２２０への充電開始を示す信号をマイコン２５０に送信する。なお、非接触被充電モジュール２１０も非接触充電モジュール１６０と同様、ワイヤレス給電の国際標準規格である「Ｑｉ」規格に準拠している。
【００２５】
バッテリ２２０は、電力をスマートフォン２００内の各モジュールに供給する電源である。本実施形態において、バッテリ２２０はリチウムイオン電池で構成される。バッテリ２２０は、非接触被充電モジュール２１０を介して非接触充電モジュール１６０から供給を受け付けた電力を蓄えられる。
カメラ２３０は、内部に光学系、ＣＭＯＳイメージセンサを含む撮像部である。カメラ２３０で撮像された画像データは、マイコン２５０で圧縮等の各種処理が施され、メモリカード２７５に記録される。
【００２６】
３Ｇアンテナ２４０は、携帯電話基地局と通信を行う通信モジュールである。本実施形態において、３Ｇアンテナ２４０は、３Ｇ規格に準拠している。３Ｇアンテナ２４０は、携帯電話網を介した通話、データ通信に用いられる。
スピーカ２４５は、３Ｇアンテナ２４０を介して受信した音声データが示す音声を出力する。マイク２４６は、使用者から発せられた音声の入力を受け付ける。マイク２４６は、受け付けた音声を音声データに変換し、マイコン２５０に送信する。マイコン２５０は、音声データに圧縮等の各種処理を施し、３Ｇアンテナ２４０を介して携帯電話基地局に送信する。
【００２７】
マイコン２５０は、スマートフォン２００内の各モジュールを制御する制御モジュールである。本実施形態において、マイコン２５０は、マイコン１３０と同様に、ＳＯＣで構成される。マイコン２５０は、起動時にフラッシュメモリ２６０に記憶されているＯＳや各種制御プログラム等を読み出す。
ＷｉＦｉモジュール２７０は、無線ＬＡＮ通信可能な通信モジュールである。ＷｉＦｉモジュール２７０は、無線ＬＡＮ通信の国際標準規格である「ＩＥＥＥ８０２．１１」規格に準拠している。
【００２８】
液晶モニタ２７８は、画像を表示できる表示モニタである。液晶モニタ２７８はタッチパネル機能を備えている。従って、使用者は、液晶モニタ２７８を介して、スマートフォン２００の操作を行うことができる。
１−３．動作
次に、レコーダ１００、スマートフォン２００の動作について図３〜図６を用いて説明する。
【００２９】
１−３−１．レコーダ１００の動作（スマートフォン２００が非接触充電モジュール１６０上に置かれた場合）
まず、レコーダ１００が電源ＯＦＦの状態で、非接触充電モジュール１６０上にスマートフォン２００が置かれた場合のレコーダ１００の動作について図３を用いて説明する。図３は、レコーダ１００の動作を説明するためのフローチャートである。
【００３０】
スマートフォン２００が非接触充電モジュール１６０上に置かれると（Ｓ１００）、非接触充電モジュール１６０は、非接触被充電モジュール２１０を介したバッテリ２２０への充電を開始する（Ｓ１１０）。充電を開始すると、非接触充電モジュール１６０は、サブマイコン１４０に対して充電開始信号を送信する。サブマイコン１４０は、充電開始信号を受信すると、マイコン１３０に対して起動指示を発行し、マイコン１３０を起動させる（Ｓ１２０）。また、サブマイコン１４０は、充電開始信号を受信すると、充電開始信号を受信した時刻に関する情報（以下、「充電開始時刻情報」という。）を内部のメモリに記憶する（Ｓ１２０）。また、サブマイコン１４０は、充電開始信号を受信すると、スマートフォン２００に対して電力供給を行っているか否かを示すフラグである充電状態フラグとして「１」を内部のメモリにセットする（Ｓ１２０）。
【００３１】
ここで、ステップＳ１２０においてサブマイコン１４０の内部のメモリに記憶される充電状態フラグと充電開始時刻情報とについて図４を用いて説明する。図４は、充電状態フラグと充電開始時刻情報とについて説明するための模式図である。レコーダ１００によるスマートフォン２００に対する充電が行われていない場合には、サブマイコン１４０の内部のメモリには充電状態フラグとして「０」がセットされている。一方、レコーダ１００によるスマートフォン２００に対する充電が行われている場合には、サブマイコン１４０の内部のメモリには充電状態フラグとして「１」がセットされている。また、非接触充電モジュール１６０によりスマートフォン２００の充電が開始されると、サブマイコン１４０は、内部のメモリに充電開始時刻情報を記憶する。具体的には、サブマイコン１４０は、充電開始時刻情報として、何年／何月／何日／何時／何分／何秒という情報を内部のメモリに記憶する。
【００３２】
ステップＳ１２０において起動指示を受け付け起動すると、マイコン１３０は、ＨＤＤ１８０等の周辺モジュールの起動を指示する（Ｓ１３０）。周辺モジュールの起動を指示すると、マイコン１３０は、周辺モジュールの起動を確認した後にＤＬＮＡ（Ｄｉｇｉｔａｌ Ｌｉｖｉｎｇ Ｎｅｔｗｏｒｋ Ａｌｌｉａｎｃｅ）サーバ機能を起動する。その後、マイコン１３０は、ＷｉＦｉモジュール１７０を介してスマートフォン２００からコマンドを受信するまで待機する（Ｓ１４０）。
【００３３】
ここで、ＤＬＮＡについて説明する。ＤＬＮＡは、ＩＰネットワークを用いて宅内の機器間で写真、音楽、ビデオといったデータを共有するために設けられた標準通信規格である。ＤＬＮＡでは、まずクライアント機器が機器検索コマンドをサーバに送信し、サーバが受信した機器検索コマンドに対して応答する。これにより、クライアント機器とサーバとが通信対象としてお互いを認識する。サーバがクライアント機器に対する応答時に送信するデータには、サーバのＩＰアドレスと、サーバが有する機能を識別するためのＤＤＤ（Ｄｅｖｉｃｅ Ｄｅｓｃｒｉｐｔｉｏｎ Ｄｏｃｕｍｅｎｔ）のＵＲＩ（Ｕｎｉｆｏｒｍ Ｒｅｓｏｕｒｃｅ Ｉｄｅｎｔｉｆｉｅｒ）とが含まれる。
【００３４】
ステップＳ１４０においてコマンドの受信を待機している状態で、機器検索コマンドを受信したと判断すると（Ｓ１５０）、マイコン１３０は、ＤＤＤのＵＲＩと、電力供給を行っているか否かを示す“充電情報”としてのサブマイコン１４０内部のメモリに記憶している充電状態フラグと、充電開始時刻情報と、現在時刻に関する情報（以下、「現在時刻情報」という。）とを、ＷｉＦｉモジュール１７０を介してスマートフォン２００へ送信するようサブマイコン１４０を制御する（Ｓ１６０）。つまり、マイコン１３０は、充電状態フラグとして「１」をスマートフォン２００に送信し、充電開始時刻情報をスマートフォン２００に送信し、現在時刻情報をスマートフォン２００に送信する。スマートフォン２００は、充電状態フラグと充電開始時刻情報と現在時刻情報とを参照することで、レコーダ１００が自装置に対して充電を行っている外部機器（以下、「充電装置」という。）であることを認識する。スマートフォン２００が、充電状態フラグと充電開始時刻情報と現在時刻情報とに基づいて、レコーダ１００が自装置を充電している装置であることを認識する方法については後述する。
【００３５】
ステップＳ１４０においてコマンドの受信を待機している状態で、データ取得要求コマンドを受信したと判断すると（Ｓ１５０）、マイコン１３０は、ＷｉＦｉモジュール１７０を介してスマートフォン２００へＤＤＤを送信する（Ｓ１７０）。ＤＤＤには、写真アップロード機能の有無、録画番組の送出機能の有無等が示されている。スマートフォン２００は、ＤＤＤを取得することでレコーダ１００の能力を認識する。
【００３６】
ステップＳ１４０においてコマンドの受信を待機している状態で、写真アップロードコマンドを受信したと判断すると（Ｓ１５０）、マイコン１３０は、ＷｉＦｉモジュール１７０を介してスマートフォン２００から受信した画像データをＨＤＤ１８０に記録する（Ｓ１８０）。
このように本実施形態におけるレコーダ１００は、スマートフォン２００から機器検索コマンドを受け付けると、非接触充電モジュール１６０がスマートフォン２００に対して電力供給を行っているか否かを示す充電状態フラグをスマートフォン２００に対して通知する。これにより、レコーダ１００は、スマートフォン２００に対して、自装置がスマートフォン２００に充電中の装置であるのか、充電中の装置でないのかを知らせることができる。その結果、スマートフォン２００は、自装置に充電を行っている充電装置にのみデータを送信でき、また、レコーダ１００は、自装置が充電を行っている装置のみからデータを受信できる確率が向上する。
【００３７】
１−３−２．レコーダ１００の動作（スマートフォン２００が非接触充電モジュール１６０上に置かれていない場合）
次に、スマートフォン２００が非接触充電モジュール１６０上に置かれていない状態で、レコーダ１００の電源がＯＮされた場合の動作について図５を用いて説明する。図５は、レコーダ１００の動作を説明するためのフローチャートである。
【００３８】
非接触充電モジュール１６０上にスマートフォン２００が置かれていない状態で、使用者によりリモコン１７８の電源ＯＮボタンが押されると、リモコン受信部１７５は、電源ＯＮ指示をサブマイコン１４０に対して出力する。電源ＯＮ指示を受け付けると、サブマイコン１４０は、充電状態フラグを「０」にセットし、充電開始時刻として無効値（例えば、００／００／００  ００：００：００等）を設定する（Ｓ２００）。
【００３９】
各種情報の設定を行うと、サブマイコン１４０は、マイコン１３０に対して起動指示を発行し、マイコン１３０を起動させる（Ｓ２１０）。ステップＳ２１０〜ステップＳ２４０、ステップＳ２６０、ステップＳ２７０は、それぞれ図３におけるステップＳ１２０〜ステップＳ１５０、ステップＳ１７０、ステップＳ１８０と同様の動作である。ステップＳ２５０のみ図３のステップＳ１６０と異なる。
【００４０】
ステップＳ２５０における動作について説明する。ステップＳ２３０においてコマンドの受信を待機している状態で、機器検索コマンドを受信したと判断すると（Ｓ２４０）、マイコン１３０は、サブマイコン１４０内部のメモリに記憶している充電状態フラグと、充電開始時刻情報と、現在時刻情報とをＷｉＦｉモジュール１７０を介してスマートフォン２００へ送信するようサブマイコン１４０を制御する（Ｓ２５０）。つまり、マイコン１３０は、充電状態フラグとして「０」をスマートフォン２００に送信し、充電開始時刻情報として無効値をスマートフォン２００に送信し、現在時刻情報を送信する（Ｓ２５０）。
【００４１】
１−３−３．スマートフォン２００の動作
次に、スマートフォン２００の動作について図６を用いて説明する。図６は、スマートフォン２００の動作を説明するためのフローチャートである。
使用者は、スマートフォン２００をレコーダ１００の非接触充電モジュール１６０上に置ける（Ｓ３００）。スマートフォン２００が非接触充電モジュール１６０上に置かれると、非接触被充電モジュール２１０は、非接触充電モジュール１６０を介して供給を受け付けた電力のバッテリ２２０への充電を開始する（Ｓ３１０）。充電を開始すると、非接触被充電モジュール２１０は、マイコン２５０へバッテリ２２０への充電の開始を通知する。充電の開始の通知を受け付けると、マイコン２５０は、充電の開始の通知を受け付けた時刻に関する情報（以下、「被充電開始時刻情報」という。）を内部のメモリに記録する。被充電開始時刻情報を内部のメモリに記録すると、マイコン２５０は、ＷｉＦｉモジュール２７０を介して外部機器に機器検索コマンドを通知（報知）する（Ｓ３２０）。
【００４２】
機器検索コマンドを通知すると、マイコン２５０は、外部機器からの応答があるまで待機する（Ｓ３３０）。外部機器からの応答（充電情報とＤＤＤのＵＲＩを含む）を受け付けると、マイコン２５０は、応答内容である充電状態フラグと充電開始時刻情報と現在時刻情報とに基づいて、応答を受け付けた外部機器が自装置に対して充電を行っている充電装置であるか否かを判断する（Ｓ３４０）。具体的には、マイコン２５０は、応答を受け付けた充電状態フラグが「１」を示しており、かつ、応答を受け付けた充電開始時刻と応答を受け付けた現在時刻との差分（つまり充電経過時間）と、マイコン２５０の内部のメモリに記憶している被充電開始時刻と内部の時計が示す現在時刻との差分（つまり、被充電経過時間）と、が同一もしくは略同一である場合に、送信元の外部機器が自装置に対して充電中の充電装置であると判断する。一方、それ以外の場合には、マイコン２５０は、応答を受け付けた外部機器が自装置に対して充電中の充電装置ではないと判断する。
【００４３】
応答を受け付けた外部機器が自装置に対して充電中の充電装置でないと判断した場合には、マイコン２５０は、再度ステップＳ３２０に戻り、他の外部機器に対して、機器検索コマンドを通知（報知）する（Ｓ３２０）。
一方、応答を受け付けた外部機器が自装置に対して充電中の充電装置であると判断した場合には、マイコン２５０は、ＤＤＤのＵＲＩを用いて充電装置に対してデータ取得要求コマンドを通知する（Ｓ３５０）。ＤＤＤのＵＲＩに対して取得要求コマンドを通知すると、マイコン２５０は、外部機器からＤＤＤを受信するまで待機する（Ｓ３６０）。
【００４４】
ＤＤＤを受信すると、マイコン２５０は、充電装置が写真アップロード機能に対応しているか否かを判断する（Ｓ３７０）。充電装置が写真アップロード機能を有していないと判断すると、マイコン２５０は、特別な処理を実行することなく、非接触被充電モジュール２１０からバッテリ２２０への充電処理を継続させる（Ｓ３８０）。一方、外部機器が写真アップロード機能を有していると判断すると、マイコン２５０は、メモリカード２７５に記憶されている写真等の画像データをＷｉＦｉモジュール２７０を介してレコーダ１００に対して送信する（Ｓ３９０）。画像データの送信が完了すると、マイコン２５０は、非接触被充電モジュール２１０からバッテリ２２０への充電処理を継続させる（Ｓ４００）。
【００４５】
このように、本実施形態におけるスマートフォン２００は、外部機器から取得した外部機器の状態に関する情報（少なくとも、充電状態フラグ）の内容に応じて、メモリカード２７５に記憶している画像データの全部又は一部を外部機器に送信するようＷｉＦｉモジュール２７０を制御する。これにより、スマートフォン２００は、自装置が充電を受け付けている充電装置にのみデータを送信できる。
【００４６】
１−４．レコーダ１００とスマートフォン２００との動作例
次に、レコーダ１００がスマートフォン２００に対して充電を行っている場合のレコーダ１００、スマートフォン２００、レコーダ３００の各動作例について図７を用いて説明する。図７は、レコーダ１００、スマートフォン２００、レコーダ３００の各動作例を説明するためのフローチャートである。
【００４７】
レコーダ１００の電源がＯＦＦの状態で、非接触充電モジュール１６０上にスマートフォン２００が置かれると、レコーダ１００は、スマートフォン２００に対して充電を開始する（Ｓ５００）。レコーダ１００による充電が開始されると、スマートフォン２００は、機器検索コマンドを同報通信により送信する（Ｓ５１０）。なお、この段階では、レコーダ１００のマイコン１３０は未だ起動中であり、起動を完了していない。この起動には約１分を要する。また、レコーダ３００は、この段階で起動が完了している。従って、起動が完了しているレコーダ３００が機器検索コマンドを受信する。
【００４８】
機器検索コマンドを受信すると、レコーダ３００は、充電状態フラグ（「０」が設定されている）と、充電開始時刻情報として設定されている無効値と、現在時刻情報と、ＤＤＤのＵＲＩとをスマートフォン２００に通知する（Ｓ５２０）。これにより、スマートフォン２００は、レコーダ３００が自装置に対して充電している充電装置でないことを認識する（Ｓ５３０）。
【００４９】
レコーダ３００が自装置に対して充電している充電装置ではないことを認識すると、スマートフォン２００は、他の外部機器であるレコーダ１００に対して機器検索コマンドを通知する（Ｓ５４０）。機器検索コマンドを受信すると、レコーダ１００は、充電状態フラグ（「１」が設定されている）と、充電開始時刻情報（サブマイコン１４０内のメモリに設定されている有効な値）と、現在時刻情報と、ＤＤＤのＵＲＩとをスマートフォン２００に対して通知する（Ｓ５５０）。これにより、スマートフォン２００は、レコーダ１００が自装置に対して充電している外部機器であることを認識する（Ｓ５６０）。
【００５０】
レコーダ１００が自装置に対して充電している充電装置であることを認識すると、スマートフォン２００は、レコーダ１００に対してデータ取得要求コマンドを通知する（Ｓ５７０）。データ取得要求コマンドを受信すると、レコーダ１００は、ＤＤＤ（写真アップロード機能有を示している）をスマートフォン２００に対して通知する（Ｓ５８０）。これにより、スマートフォン２００は、レコーダ１００が写真アップロード機能に対応していることを認識する。
【００５１】
レコーダ１００が写真アップロード機能に対応していることを認識すると、スマートフォン２００は、メモリカード２７５に記憶している写真等の画像データをレコーダ１００に対して送信する（Ｓ５９０）。
このように、本実施形態によれば、スマートフォン２００は、自装置が充電を受け付けている充電装置にのみ画像データ等のデータを送信できるし、レコーダ１００は、自装置が充電している被充電装置（本実施形態では、スマートフォン２００）のみから画像データ等のデータを受信できる。
２．他の実施の形態
以上、実施の形態１について説明したが、本発明は実施の形態１には限定されず他の様々な実施の形態に適用できる。他の実施形態の一例について以下に説明する。
【００５２】
（Ａ）実施の形態１においては、充電装置の一例としてレコーダ１００を示したが必ずしもこのような例に限定されない。例えば、充電装置としては、ＰＣやＮＡＳ等にも適用できる。
また、実施の形態１においては、レコーダ１００がスマートフォン２００を充電する場合について説明したが、レコーダ１００は複数の被充電装置を同時に充電することも可能である。この場合には、各被充電装置との間で上述のプロセスが実行される。
【００５３】
（Ｂ）実施の形態１においては、被充電装置の一例としてスマートフォン２００を示したが必ずしもこのような例に限定されない。例えば、被充電装置としては、デジタルカメラやポータブル音楽プレーヤ、或いは携帯電話や充電パック等にも適用できる。
（Ｃ）実施の形態１においては、通信部の一例としてＷｉＦｉモジュール１７０、ＷｉＦｉモジュール２７０を示したが必ずしもこのような例に限定されない。例えば、有線ＬＡＮ、ＰＬＣ、ＷｉＦｉＤｉｒｅｃｔ等にも適用できる。
【００５４】
（Ｄ）実施の形態１においては、スマートフォン２００に記憶されている画像データをレコーダ１００に送信する例を示したが必ずしもこのような例に限定されない。例えば、レコーダ１００に記憶されている番組データをスマートフォン２００に送信するような場合にも適用できる。
この場合、スマートフォン２００のマイコン２５０は、レコーダ１００が電力供給を行っている場合には、レコーダ１００に対してコンテンツの送信を要求するようＷｉＦｉモジュール２７０を制御し、レコーダ１００が電力供給を行っていない場合には、レコーダ１００に対してコンテンツの送信を要求するＷｉＦｉモジュール２７０を制御しなければよい。
【００５５】
（Ｅ）実施の形態１においては、スマートフォン２００からの画像データの送信は、レコーダ１００から充電を受けていることを認識した後に自動的に行われることとしたが、必ずしもこのような例には限定されない。例えば、スマートフォン２００は、レコーダ１００から充電を受け付けていることを認識した後に、コンテンツの転送を許可するか否かを使用者に問い合わせることとしてもよい。具体的には、スマートフォン２００は、レコーダ１００から充電を受けていることを認識された場合に、図８に示すように、コンテンツの送信指示を促す画像を液晶モニタ２７８に表示させる画像制御部を備えていてもよい。この場合、マイコン２５０は、使用者の送信指示を液晶モニタ２７８のタッチパネルで受け付けた場合にのみコンテンツの全部又は一部をレコーダ１００に送信する。これによって、必要な場合にのみ画像データを転送することができる。なお、上述の画像制御部は、マイコン２５０に含まれていてもよい。
【００５６】
（Ｆ）実施の形態１においては、レコーダ１００は、レコーダ１００（非接触充電モジュール１６０）が電力供給を行っているか否かを示す充電情報として、充電状態フラグ、充電開始時刻情報及び現在時刻情報をスマートフォン２００に送信することとしたが、充電情報は必ずしもこのような例には限定されない。
例えば、レコーダ１００は、充電情報として、充電状態フラグだけをスマートフォン２００に送信することとしてもよい。この場合、スマートフォン２００は、充電状態フラグが「１」であれば、レコーダ１００を充電装置として認識することとなる。
【００５７】
また、レコーダ１００は、充電情報として、充電開始時刻情報及び現在時刻情報だけをスマートフォン２００に送信することとしてもよい。さらに、レコーダ１００は、充電情報として、充電開始時刻と現在時刻との差分（すなわち、充電経過時間）だけをスマートフォン２００に送信してもよい。なお、一組の充電開始時刻情報及び現在時刻情報と充電経過時間とは、それぞれ、充電に関連する時間情報の一例である。この場合、スマートフォン２００は、充電に関連する時間情報の受信のみによって、レコーダ１００が充電装置であると認識することもできるが、受信した充電経過時間と自装置内での被充電経過時間とを比較することで、レコーダ１００が自装置に電力供給する充電装置であることを精度良く判断できる。
【００５８】
また、レコーダ１００は、充電情報として、スマートフォン２００内のバッテリの残容量に関する残容量情報等を用いてもよい。つまり、レコーダ１００は、スマートフォン２００から残容量情報を非接触充電モジュール１６０を介して受信し、受信した残容量情報をスマートフォン２００にＷｉＦｉモジュール１７０を介して送信する。これにより、スマートフォン２００は、残容量情報の受信のみによって、レコーダ１００が充電装置であると認識することもできるが、受信した残容量情報と、自装置内のバッテリの残容量の情報とを比較することで、レコーダ１００が自装置に電力供給する充電装置であるか否かを精度良く判断できる。
【００５９】
このように、充電情報には、充電状態フラグ、充電に関連する時間情報（一組の充電開始時刻情報及び現在時刻情報、又は、充電経過時間）及び残容量情報のうち少なくとも一つが含まれていればよい。充電情報に含まれる情報が多い程、スマートフォン２００は、レコーダ１００が自装置に電力供給する充電装置であるか否かを精度良く判断できる。
（Ｇ）実施の形態１において、レコーダ１００は、スマートフォン２００に無接触充電を行いながら、スマートフォン２００と無線通信を行うこととしたが、これに限られるものではない。本発明は、充電経路と通信経路とが２系統に分かれているケースに適用可能である。従って、レコーダ１００は、スマートフォン２００に対して接触充電（例えば、ケーブルを介した充電）を行ってもよいし、スマートフォン２００と有線通信を行ってもよい。
【００６０】
（附記）
本発明の他の特徴を以下に附記する。
（i）本発明に係る被充電装置は、充電装置からの電力供給を受け付ける被充電部と、外部機器との通信を行う通信部と、コンテンツを記憶する記憶部と、画像を表示する表示部と、前記通信部を介して外部機器から取得した該外部機器が電力供給を行っているか否かに関する充電情報の内容に応じて、前記コンテンツの前記外部機器への送信指示を促す画像を前記表示部に表示させる画像表示部と、前記送信指示に応じて、前記記憶部に記憶しているコンテンツの全部又は一部を前記外部機器に送信するよう前記通信部を制御する制御部と、を備える。
【００６１】
（ii）本発明に係る充電システムは、被充電装置と、充電装置と、を備える。被充電装置は、電力供給を受け付け可能な被充電部と、通信可能な第１通信部と、コンテンツを記憶する記憶部と、前記被充電部が電力供給を受け付けた場合に、問い合わせを前記第１通信部から報知させる第１制御部と、を有する。充電装置は、非接触で電力供給可能な充電部と、無線通信可能な第２通信部と、前記第２通信部を介して受信される前記問い合わせに応じて、前記充電部が電力供給を行っているか否かを示す充電情報を、前記第２通信部から前記被充電装置へ送信させる第２制御部と、を有する。前記第１制御部は、前記第１通信部を介して受信される前記充電情報に基づいて、前記被充電部の電力供給元が前記被充電装置であると判定された場合に、前記コンテンツの全部又は一部を前記第１通信部から前記充電装置へ送信させる。
【産業上の利用可能性】
【００６２】
本発明はレコーダや充電クレードル等の充電装置に適用できる。また、本発明は携帯電話やスマートフォンやデジタルカメラ等の被充電装置に適用できる。
【符号の説明】
【００６３】
１００  レコーダ
１１０  アンテナ
１２０  チューナ
１３０  マイコン
１３５  フラッシュメモリ
１４０  サブマイコン
１５０  ＡＣ電源
１６０  非接触充電モジュール
１７０  ＷｉＦｉモジュール
１７５  リモコン受信部
１７８  リモコン
１８０  ＨＤＤ
１９０  ＨＤＭＩモジュール
２００  スマートフォン
２１０  非接触被充電モジュール
２２０  バッテリ
２３０  カメラ
２４０  ３Ｇアンテナ
２４５  スピーカ
２４６  マイク
２５０  マイコン
２６０  フラッシュメモリ
２７０  ＷｉＦｉモジュール
２７５  メモリカード
２７８  液晶モニタ
２８０  アクセスポイント
【図１】
2013080393.tif 000003
【図２】
2013080393.tif 000004
【図３】
2013080393.tif 000005
【図４】
2013080393.tif 000006
【図５】
2013080393.tif 000007
【図６】
2013080393.tif 000008
【図７】
2013080393.tif 000009
【図８】
2013080393.tif 000010
【手続補正書】
【提出日】平成25年10月24日(2013.10.24)
【手続補正１】
【補正対象書類名】特許請求の範囲
【補正対象項目名】全文
【補正方法】変更
【補正の内容】
【特許請求の範囲】
【請求項１】
外部機器に対して電力供給を行う充電部と、
外部機器と通信を行う通信部と、
前記通信部を介して、外部機器からの問い合わせを受け付けると、前記充電部が電力供給を行っているか否かを示す充電情報を、前記問い合わせを受け付けた外部機器に対して通知するよう前記通信部を制御する制御部と、を備える、
充電装置。
【請求項２】
前記充電情報は、前記充電部による充電状態を示す充電状態フラグ、及び前記充電部による充電に関連する時間情報のうち少なくとも一つを含む、
請求項１に記載の充電装置。
【請求項３】
前記充電部は、前記外部機器から前記外部機器内のバッテリの残容量に関する残容量情報を受信でき、
前記充電情報は、前記残容量情報を含む、
請求項１又は２に記載の充電装置。
【請求項４】
外部機器に対して電力供給を受け付ける被充電部と、
外部機器と通信を行う通信部と、
コンテンツを記憶する記憶部と、
前記通信部を介して外部機器から取得した該外部機器が電力供給を行っているか否かを示す充電情報の内容に応じて、前記記憶部に記憶している前記コンテンツの全部又は一部を前記外部機器に送信するよう前記通信部を制御する制御部と、を備える、
被充電装置。
【請求項５】
前記充電情報は、前記外部機器による充電状態を示す充電状態フラグ、前記外部機器による充電に関連する時間情報、及び前記外部機器の充電対象内のバッテリの残容量に関する残容量情報のうち少なくとも一つを含む、
請求項４に記載の被充電装置。
【請求項６】
前記制御部は、前記外部機器が電力供給を行っている場合には、前記記憶部に記憶しているコンテンツの全部又は一部を前記外部機器に送信するよう前記通信部を制御し、前記外部機器が電力供給を行っていない場合には、前記記憶部に記憶しているコンテンツを前記外部機器に送信するよう前記通信部を制御しない、
請求項４又は５に記載の被充電装置。
【請求項７】
前記制御部は、前記外部機器が電力供給を行っている場合には、前記外部機器に対してコンテンツの送信を要求するよう前記通信部を制御し、前記外部機器が電力供給を行っていない場合には、前記外部機器に対してコンテンツの送信を要求するよう前記通信部を制御しない、
請求項４乃至６のいずれかに記載の被充電装置。
【手続補正２】
【補正対象書類名】明細書
【補正対象項目名】全文
【補正方法】変更
【補正の内容】
【発明の詳細な説明】
【技術分野】
【０００１】
本発明は充電装置に関し、特に、外部機器を充電できる充電装置に関する。また、本発明は被充電装置に関し、特に、外部機器からの充電を受け付けられる被充電装置に関する。
【背景技術】
【０００２】
特許文献１は、携帯電話端末に対して無接点にて充電が可能な無接点充電装置を開示する。この無接点充電装置は、平面コイルを用いて無接点にて携帯電話端末に対して充電用電力を伝送する。この無接点充電装置は、携帯電話端末に対して電力を伝送するのに先立ち、充電用電力伝送の許可認証と、携帯電話端末へのデータ配信の許可認証のための認証用の情報信号とを用いて携帯電話端末の認証を行う。この無接点充電装置は、認証ができた時には、予め用意した充電引換配信データを携帯電話端末へ送信する。その後、この無接点充電装置は、その携帯電話端末への充電電力の伝送を行う。
【０００３】
これにより、この無接点充電装置は、ＡＣアダプタやコネクタを用いずに携帯電話端末を充電できる。また、この無接点充電装置は、認証用情報信号に基づいて携帯電話端末へのデータ配信を行うため、携帯電話端末のユーザにとって不要なデータの配信を行うことがない。また、この無接点充電装置は、充電用電力の伝送をデータ配信と引き換えに行うため、複雑な電気料金の計算や設備を要せず且つ電力供給による不利益を被ることなく、携帯電話端末へ充電電力を供給できる。
【先行技術文献】
【特許文献】
【０００４】
【特許文献１】特開２００８−２９５１９１号公報
【発明の概要】
【０００５】
（発明が解決しようとする課題）
上記特許文献１に開示されている無接点充電装置は、充電用電力を伝送する平面コイルを用いて、許可認証のための情報信号の送信を行う。従って、上記特許文献１に開示されている無接点充電装置においては、電力の充電先の装置と、データの送信先の装置とが異なるということが生じない。
【０００６】
しかしながら、無接点充電に関しては平面コイルを介して行い、データの送信に関しては平面コイルとは別の系を介して行う場合には、充電先の装置と、データの送信先の装置が異なってしまう場合も生じうる。
本発明は、自装置が充電している被充電装置のみからデータを受信できる充電装置を提供することを目的とする。また、本発明は、自装置が充電を受け付けている充電装置にのみデータを送信できる被充電装置を提供することを目的とする。
（課題を解決するための手段）
上記課題を解決するために、本発明にかかる充電装置は、外部機器に対して電力供給を行う充電部と、外部機器と通信を行う通信部と、通信部を介して、外部機器からの問い合わせを受け付けると、充電部が電力供給を行っているか否かを示す充電情報を、問い合わせを受け付けた外部機器に対して通知するよう通信部を制御する制御部と、を備える。
【０００７】
また、本発明にかかる被充電装置は、外部機器に対して電力供給を受け付ける被充電部と、外部機器と通信を行う通信部と、コンテンツを記憶する記憶部と、通信部を介して外部機器から取得した外部機器が電力供給を行っているか否かを示す充電情報の内容に応じて、記憶部に記憶しているコンテンツの全部又は一部を外部機器に送信するよう通信部を制御する制御部と、を備える。
（発明の効果）
本発明によれば、自装置が充電している被充電装置のみからデータを受信できる充電装置を提供できる。また、本発明によれば、自装置が充電を受け付けている充電装置にのみデータを送信できる被充電装置を提供できる。
【図面の簡単な説明】
【０００８】
【図１】実施の携帯１のレコーダとスマートフォンの外観模式図
【図２】実施の形態１のレコーダとスマートフォンのブロック図
【図３】実施の形態１のレコーダの制御を示すフローチャート
【図４】実施の形態１における充電状態フラグと充電開始時刻とについて説明するための模式図
【図５】実施の形態１のレコーダの制御を示すフローチャート
【図６】実施の形態１のスマートフォンの制御を示すフローチャート
【図７】実施の形態１のレコーダとスマートフォンの動作例を示すフローチャート
【図８】実施の形態１のスマートフォンの画面における表示例を示す図
【発明を実施するための形態】
【０００９】
本発明をレコーダとスマートフォンとに適用した実施の形態１について図面を用いて説明する。
１．実施の形態１
１−１．概要
本実施形態の概要について図１を用いて説明する。図１は、本実施形態にかかる充電システム１の外観模式図である。充電システム１は、レコーダ１００とスマートフォン２００とによって構成されている。レコーダ１００は、画像データ等のデータを記憶するレコーダである。スマートフォン２００は、画像データ等のデータを記憶するスマートフォンである。レコーダ１００は、非接触充電モジュール１６０を介して、スマートフォン２００に含まれるバッテリに対して無接触充電を行える。
【００１０】
また、レコーダ１００は、スマートフォン２００が記憶している画像データ等のデータをスマートフォン２００と無線ＬＡＮ通信することで受信できる。レコーダ１００は、スマートフォン２００から受信したデータを内部のＨＤＤに記録できる。
レコーダ１００は、自装置が充電を行っているスマートフォン２００からのみ画像データ等のデータを受信する。また、スマートフォン２００は、自装置が充電を受け付けているレコーダ１００にのみ画像データ等のデータを送信する。
【００１１】
なお、レコーダ１００は、スマートフォン２００にとっての外部機器であり、スマートフォン２００は、レコーダ１００にとっての外部機器である。
１−２．構成
本実施の形態にかかるレコーダ１００の構成について図２を用いて説明する。図２は、レコーダ１００とスマートフォン２００の構成を示すブロック図である。
【００１２】
レコーダ１００は、アンテナ１１０を介して放送を受信する。レコーダ１００は、受信した放送に対してマイコン１３０により圧縮等の各種画像処理を施し動画像データを生成する。レコーダ１００は、生成した動画像データをＨＤＤ１８０に記録する。また、レコーダ１００は、ＨＤＤ１８０に記録している動画像データをマイコン１３０により復号等の各種画像処理を施す。レコーダ１００は、復号後のデータをＨＤＭＩ（登録商標）モジュール１９０を介して外部のテレビ等に出力する。また、レコーダ１００は、ＡＣ電源１５０を介して取得した電力を、非接触充電モジュール１６０を介してスマートフォン２００等の外部機器のバッテリに伝送する。
【００１３】
スマートフォン２００は、３Ｇアンテナ２４０を介して、他のスマートフォン等と通信を行う。スマートフォン２００は、３Ｇアンテナ２４０を介して他のスマートフォン等から受信した音声に対して、マイコン２５０により各種処理を行う。スマートフォン２００は、処理後の音声をスピーカ２４５から出力する。また、スマートフォン２００は、マイク２４６を介して入力を受け付けた音声に対して、マイコン２５０により各種処理を行う。スマートフォン２００は、処理後の音声データを３Ｇアンテナ２４０を介して他のスマートフォン等に送信する。また、スマートフォン２００は、カメラ２３０により撮像した画像データに対してマイコン２５０により圧縮等の各種画像処理を施し動画像データを生成する。スマートフォン２００は、生成した動画像データをメモリカード２７５に記録する。スマートフォン２００は、非接触被充電モジュール２１０を介して外部機器から受信した電力をバッテリ２２０に充電する。
【００１４】
以下、レコーダ１００とスマートフォン２００の各構成について詳細に説明する。まずはレコーダ１００の詳細について説明する。
１−２−１．レコーダ１００の構成
レコーダ１００は、アンテナ１１０、チューナ１２０、マイコン１３０（制御部の一例）、フラッシュメモリ１３５、サブマイコン１４０、ＡＣ電源１５０、非接触充電モジュール１６０（充電部の一例）、ＷｉＦｉモジュール１７０（通信部の一例）、リモコン受信部１７５、リモコン１７８、ＨＤＤ１８０、ＨＤＭＩ（登録商標）モジュール１９０を備える。
【００１５】
アンテナ１１０は、放送局からの放送を受信するアンテナである。アンテナ１１０は、地上デジタル放送を受信するＵＨＦアンテナ若しくはＢＳ／ＣＳデジタル放送を受信するためのパラボラアンテナ等で構成される。
チューナ１２０は、アンテナ１１０を介して受信した電波のうち、使用者が選局しているチャンネルの電波を抽出する。チューナ１２０は、抽出した電波に基づいて、マイコン１３０が処理可能なデジタルデータを生成する。
【００１６】
マイコン１３０は、レコーダ１００全体を制御する制御モジュールである。本実施形態において、マイコン１３０は、ＳＯＣ（Ｓｙｓｔｅｍ Ｏｎ Ｃｈｉｐ）で構成される。従って、マイコン１３０は、ＣＰＵ、メモリ、データ信号処理回路を一体として構成される。マイコン１３０は、高性能な半導体で構成されており処理性能が高い。一方、マイコン１３０は、高い消費電力を要する。そのため、マイコン１３０は、テレビ放送録画、ネットワーク通信等の主機能を利用する場合を除き停止している。
【００１７】
フラッシュメモリ１３５は、書き換え可能な不揮発性の半導体メモリである。フラッシュメモリ１３５は、レコーダ１００の動作に必要となるＯＳ（Ｏｐｅｒａｔｉｎｇ Ｓｙｓｔｅｍ）や各種制御プログラム等を記憶している。マイコン１３０は、起動時にフラッシュメモリ１３５に記憶されているＯＳ等を読み出す。マイコン１３０は、読み出したＯＳ等をマイコン１３０内部のメモリに展開し、マイコン１３０内部のＣＰＵで実行する。
【００１８】
サブマイコン１４０は、マイコン１３０とは異なりＡＣ電源１５０がコンセントに接続されている限り常時動作しているマイコンである。サブマイコン１４０は、マイコン１３０と比較して処理能力が低い分、消費電力も低い。サブマイコン１４０は、レコーダ１００のタイマー録画機能等を実現するため、内部に時計とマイコン１３０を起動するためのタイムスケジュールとを保持している。サブマイコン１４０は、内部の時計がマイコン１３０の次回起動時間を示した時点で、マイコン１３０に対して起動指示を発行する。また、サブマイコン１４０は、非接触充電モジュール１６０による外部機器への電力伝送が開始された場合にもマイコン１３０に起動指示を発行する。また、サブマイコン１４０は、リモコン受信部１７５を介して起動指示を受け付けた場合にもマイコン１３０に対して起動指示を発行する。
【００１９】
ＡＣ電源１５０は、家庭用商用電源のコンセントから電力供給を受け付ける。非接触充電モジュール１６０は、ＡＣ電源１５０から電力供給を受け付ける。非接触充電モジュール１６０は、電磁誘導方式により被充電装置（本実施形態では、スマートフォン２００）の非接触被充電モジュール２１０に電力供給を行う充電モジュールである。非接触充電モジュール１６０は、被充電装置が非接触充電モジュール１６０に近接したことを検出できる。非接触充電モジュール１６０は、被充電装置の近接を検出するのに応じて、被充電装置への充電を開始する。また、非接触充電モジュール１６０は、被充電装置への充電を開始すると、その旨を示す充電開始信号をサブマイコン１４０に送信する。なお、非接触充電モジュール１６０は、ワイヤレス給電の国際標準規格である「Ｑｉ」規格に準拠している。
【００２０】
ＷｉＦｉモジュール１７０は、無線ＬＡＮ通信可能な通信モジュールである。ＷｉＦｉモジュール１７０は、無線ＬＡＮ通信の国際標準規格である「ＩＥＥＥ８０２．１１」規格に準拠している。ＷｉＦｉモジュール１７０は、スマートフォン２００のＷｉＦｉモジュール２７０とＩＰ（Ｉｎｔｅｒｎｅｔ Ｐｒｏｔｏｃｏｌ）により通信できる。また、ＷｉＦｉモジュール１７０は、アクセスポイント２８０を介して宅内機器等とＩＰにより通信できる。
【００２１】
リモコン受信部１７５は、リモコン１７８から送信される赤外線またはＲＦ波に変調された制御信号を受信する。例えば、リモコン受信部１７５は、電源ＯＮ／ＯＦＦ、チャンネル切替、録画開始／停止等の制御信号を受信する。リモコン受信部１７５は、受信した制御信号をサブマイコン１４０が解釈できるデジタル信号に変換する。
リモコン１７８は、使用者がレコーダ１００を遠隔操作するための操作機器である。リモコン１７８には各種ボタンが設けられている。使用者が、リモコン１７８上のボタンを操作することにより、レコーダ１００を遠隔操作できる。
【００２２】
ＨＤＤ１８０は、動画像データ等を記憶する記憶装置である。ＨＤＤ１８０は、アンテナ１１０を介して受信した放送番組を示す動画像データや、ＷｉＦｉモジュール１７０を介してスマートフォン２００等の外部機器から受信した画像データ等のデータを記憶する。
ＨＤＭＩ（登録商標）モジュール１９０は、レコーダ１００とテレビ等の外部機器とを接続するインターフェースである。レコーダ１００は、ＨＤＭＩ（登録商標）モジュール１９０を介してＨＤＤ１８０に記憶されている動画像データが示す動画像等を外部機器に対して出力できる。
【００２３】
１−２−２．スマートフォン２００の構成
次に、スマートフォン２００の構成の詳細について説明する。スマートフォン２００は、非接触被充電モジュール２１０（被充電部の一例）、バッテリ２２０、カメラ２３０、３Ｇアンテナ２４０、スピーカ２４５、マイク２４６、マイコン２５０（制御部の一例）、フラッシュメモリ２６０、ＷｉＦｉモジュール２７０（通信部の一例）、メモリカード２７５（記憶部の一例）、液晶モニタ２７８（表示部の一例）を備える。
【００２４】
非接触被充電モジュール２１０は、電磁誘導方式により非接触充電モジュール１６０から電力供給を受け付ける被充電モジュールである。非接触被充電モジュール２１０は、供給を受けた電力をバッテリ２２０に充電できる。非接触被充電モジュール２１０は、バッテリ２２０への充電開始とともに、バッテリ２２０への充電開始を示す信号をマイコン２５０に送信する。なお、非接触被充電モジュール２１０も非接触充電モジュール１６０と同様、ワイヤレス給電の国際標準規格である「Ｑｉ」規格に準拠している。
【００２５】
バッテリ２２０は、電力をスマートフォン２００内の各モジュールに供給する電源である。本実施形態において、バッテリ２２０はリチウムイオン電池で構成される。バッテリ２２０は、非接触被充電モジュール２１０を介して非接触充電モジュール１６０から供給を受け付けた電力を蓄えられる。
カメラ２３０は、内部に光学系、ＣＭＯＳイメージセンサを含む撮像部である。カメラ２３０で撮像された画像データは、マイコン２５０で圧縮等の各種処理が施され、メモリカード２７５に記録される。
【００２６】
３Ｇアンテナ２４０は、携帯電話基地局と通信を行う通信モジュールである。本実施形態において、３Ｇアンテナ２４０は、３Ｇ規格に準拠している。３Ｇアンテナ２４０は、携帯電話網を介した通話、データ通信に用いられる。
スピーカ２４５は、３Ｇアンテナ２４０を介して受信した音声データが示す音声を出力する。マイク２４６は、使用者から発せられた音声の入力を受け付ける。マイク２４６は、受け付けた音声を音声データに変換し、マイコン２５０に送信する。マイコン２５０は、音声データに圧縮等の各種処理を施し、３Ｇアンテナ２４０を介して携帯電話基地局に送信する。
【００２７】
マイコン２５０は、スマートフォン２００内の各モジュールを制御する制御モジュールである。本実施形態において、マイコン２５０は、マイコン１３０と同様に、ＳＯＣで構成される。マイコン２５０は、起動時にフラッシュメモリ２６０に記憶されているＯＳや各種制御プログラム等を読み出す。
ＷｉＦｉモジュール２７０は、無線ＬＡＮ通信可能な通信モジュールである。ＷｉＦｉモジュール２７０は、無線ＬＡＮ通信の国際標準規格である「ＩＥＥＥ８０２．１１」規格に準拠している。
【００２８】
液晶モニタ２７８は、画像を表示できる表示モニタである。液晶モニタ２７８はタッチパネル機能を備えている。従って、使用者は、液晶モニタ２７８を介して、スマートフォン２００の操作を行うことができる。
１−３．動作
次に、レコーダ１００、スマートフォン２００の動作について図３〜図６を用いて説明する。
【００２９】
１−３−１．レコーダ１００の動作（スマートフォン２００が非接触充電モジュール１６０上に置かれた場合）
まず、レコーダ１００が電源ＯＦＦの状態で、非接触充電モジュール１６０上にスマートフォン２００が置かれた場合のレコーダ１００の動作について図３を用いて説明する。図３は、レコーダ１００の動作を説明するためのフローチャートである。
【００３０】
スマートフォン２００が非接触充電モジュール１６０上に置かれると（Ｓ１００）、非接触充電モジュール１６０は、非接触被充電モジュール２１０を介したバッテリ２２０への充電を開始する（Ｓ１１０）。充電を開始すると、非接触充電モジュール１６０は、サブマイコン１４０に対して充電開始信号を送信する。サブマイコン１４０は、充電開始信号を受信すると、マイコン１３０に対して起動指示を発行し、マイコン１３０を起動させる（Ｓ１２０）。また、サブマイコン１４０は、充電開始信号を受信すると、充電開始信号を受信した時刻に関する情報（以下、「充電開始時刻情報」という。）を内部のメモリに記憶する（Ｓ１２０）。また、サブマイコン１４０は、充電開始信号を受信すると、スマートフォン２００に対して電力供給を行っているか否かを示すフラグである充電状態フラグとして「１」を内部のメモリにセットする（Ｓ１２０）。
【００３１】
ここで、ステップＳ１２０においてサブマイコン１４０の内部のメモリに記憶される充電状態フラグと充電開始時刻情報とについて図４を用いて説明する。図４は、充電状態フラグと充電開始時刻情報とについて説明するための模式図である。レコーダ１００によるスマートフォン２００に対する充電が行われていない場合には、サブマイコン１４０の内部のメモリには充電状態フラグとして「０」がセットされている。一方、レコーダ１００によるスマートフォン２００に対する充電が行われている場合には、サブマイコン１４０の内部のメモリには充電状態フラグとして「１」がセットされている。また、非接触充電モジュール１６０によりスマートフォン２００の充電が開始されると、サブマイコン１４０は、内部のメモリに充電開始時刻情報を記憶する。具体的には、サブマイコン１４０は、充電開始時刻情報として、何年／何月／何日／何時／何分／何秒という情報を内部のメモリに記憶する。
【００３２】
ステップＳ１２０において起動指示を受け付け起動すると、マイコン１３０は、ＨＤＤ１８０等の周辺モジュールの起動を指示する（Ｓ１３０）。周辺モジュールの起動を指示すると、マイコン１３０は、周辺モジュールの起動を確認した後にＤＬＮＡ（Ｄｉｇｉｔａｌ Ｌｉｖｉｎｇ Ｎｅｔｗｏｒｋ Ａｌｌｉａｎｃｅ）サーバ機能を起動する。その後、マイコン１３０は、ＷｉＦｉモジュール１７０を介してスマートフォン２００からコマンドを受信するまで待機する（Ｓ１４０）。
【００３３】
ここで、ＤＬＮＡについて説明する。ＤＬＮＡは、ＩＰネットワークを用いて宅内の機器間で写真、音楽、ビデオといったデータを共有するために設けられた標準通信規格である。ＤＬＮＡでは、まずクライアント機器が機器検索コマンドをサーバに送信し、サーバが受信した機器検索コマンドに対して応答する。これにより、クライアント機器とサーバとが通信対象としてお互いを認識する。サーバがクライアント機器に対する応答時に送信するデータには、サーバのＩＰアドレスと、サーバが有する機能を識別するためのＤＤＤ（Ｄｅｖｉｃｅ Ｄｅｓｃｒｉｐｔｉｏｎ Ｄｏｃｕｍｅｎｔ）のＵＲＩ（Ｕｎｉｆｏｒｍ Ｒｅｓｏｕｒｃｅ Ｉｄｅｎｔｉｆｉｅｒ）とが含まれる。
【００３４】
ステップＳ１４０においてコマンドの受信を待機している状態で、機器検索コマンドを受信したと判断すると（Ｓ１５０）、マイコン１３０は、ＤＤＤのＵＲＩと、電力供給を行っているか否かを示す“充電情報”としてのサブマイコン１４０内部のメモリに記憶している充電状態フラグと、充電開始時刻情報と、現在時刻に関する情報（以下、「現在時刻情報」という。）とを、ＷｉＦｉモジュール１７０を介してスマートフォン２００へ送信するようサブマイコン１４０を制御する（Ｓ１６０）。つまり、マイコン１３０は、充電状態フラグとして「１」をスマートフォン２００に送信し、充電開始時刻情報をスマートフォン２００に送信し、現在時刻情報をスマートフォン２００に送信する。スマートフォン２００は、充電状態フラグと充電開始時刻情報と現在時刻情報とを参照することで、レコーダ１００が自装置に対して充電を行っている外部機器（以下、「充電装置」という。）であることを認識する。スマートフォン２００が、充電状態フラグと充電開始時刻情報と現在時刻情報とに基づいて、レコーダ１００が自装置を充電している装置であることを認識する方法については後述する。
【００３５】
ステップＳ１４０においてコマンドの受信を待機している状態で、データ取得要求コマンドを受信したと判断すると（Ｓ１５０）、マイコン１３０は、ＷｉＦｉモジュール１７０を介してスマートフォン２００へＤＤＤを送信する（Ｓ１７０）。ＤＤＤには、写真アップロード機能の有無、録画番組の送出機能の有無等が示されている。スマートフォン２００は、ＤＤＤを取得することでレコーダ１００の能力を認識する。
【００３６】
ステップＳ１４０においてコマンドの受信を待機している状態で、写真アップロードコマンドを受信したと判断すると（Ｓ１５０）、マイコン１３０は、ＷｉＦｉモジュール１７０を介してスマートフォン２００から受信した画像データをＨＤＤ１８０に記録する（Ｓ１８０）。
このように本実施形態におけるレコーダ１００は、スマートフォン２００から機器検索コマンドを受け付けると、非接触充電モジュール１６０がスマートフォン２００に対して電力供給を行っているか否かを示す充電状態フラグをスマートフォン２００に対して通知する。これにより、レコーダ１００は、スマートフォン２００に対して、自装置がスマートフォン２００に充電中の装置であるのか、充電中の装置でないのかを知らせることができる。その結果、スマートフォン２００は、自装置に充電を行っている充電装置にのみデータを送信でき、また、レコーダ１００は、自装置が充電を行っている装置のみからデータを受信できる確率が向上する。
【００３７】
１−３−２．レコーダ１００の動作（スマートフォン２００が非接触充電モジュール１６０上に置かれていない場合）
次に、スマートフォン２００が非接触充電モジュール１６０上に置かれていない状態で、レコーダ１００の電源がＯＮされた場合の動作について図５を用いて説明する。図５は、レコーダ１００の動作を説明するためのフローチャートである。
【００３８】
非接触充電モジュール１６０上にスマートフォン２００が置かれていない状態で、使用者によりリモコン１７８の電源ＯＮボタンが押されると、リモコン受信部１７５は、電源ＯＮ指示をサブマイコン１４０に対して出力する。電源ＯＮ指示を受け付けると、サブマイコン１４０は、充電状態フラグを「０」にセットし、充電開始時刻として無効値（例えば、００／００／００  ００：００：００等）を設定する（Ｓ２００）。
【００３９】
各種情報の設定を行うと、サブマイコン１４０は、マイコン１３０に対して起動指示を発行し、マイコン１３０を起動させる（Ｓ２１０）。ステップＳ２１０〜ステップＳ２４０、ステップＳ２６０、ステップＳ２７０は、それぞれ図３におけるステップＳ１２０〜ステップＳ１５０、ステップＳ１７０、ステップＳ１８０と同様の動作である。ステップＳ２５０のみ図３のステップＳ１６０と異なる。
【００４０】
ステップＳ２５０における動作について説明する。ステップＳ２３０においてコマンドの受信を待機している状態で、機器検索コマンドを受信したと判断すると（Ｓ２４０）、マイコン１３０は、サブマイコン１４０内部のメモリに記憶している充電状態フラグと、充電開始時刻情報と、現在時刻情報とをＷｉＦｉモジュール１７０を介してスマートフォン２００へ送信するようサブマイコン１４０を制御する（Ｓ２５０）。つまり、マイコン１３０は、充電状態フラグとして「０」をスマートフォン２００に送信し、充電開始時刻情報として無効値をスマートフォン２００に送信し、現在時刻情報を送信する（Ｓ２５０）。
【００４１】
１−３−３．スマートフォン２００の動作
次に、スマートフォン２００の動作について図６を用いて説明する。図６は、スマートフォン２００の動作を説明するためのフローチャートである。
使用者は、スマートフォン２００をレコーダ１００の非接触充電モジュール１６０上に置ける（Ｓ３００）。スマートフォン２００が非接触充電モジュール１６０上に置かれると、非接触被充電モジュール２１０は、非接触充電モジュール１６０を介して供給を受け付けた電力のバッテリ２２０への充電を開始する（Ｓ３１０）。充電を開始すると、非接触被充電モジュール２１０は、マイコン２５０へバッテリ２２０への充電の開始を通知する。充電の開始の通知を受け付けると、マイコン２５０は、充電の開始の通知を受け付けた時刻に関する情報（以下、「被充電開始時刻情報」という。）を内部のメモリに記録する。被充電開始時刻情報を内部のメモリに記録すると、マイコン２５０は、ＷｉＦｉモジュール２７０を介して外部機器に機器検索コマンドを通知（報知）する（Ｓ３２０）。
【００４２】
機器検索コマンドを通知すると、マイコン２５０は、外部機器からの応答があるまで待機する（Ｓ３３０）。外部機器からの応答（充電情報とＤＤＤのＵＲＩを含む）を受け付けると、マイコン２５０は、応答内容である充電状態フラグと充電開始時刻情報と現在時刻情報とに基づいて、応答を受け付けた外部機器が自装置に対して充電を行っている充電装置であるか否かを判断する（Ｓ３４０）。具体的には、マイコン２５０は、応答を受け付けた充電状態フラグが「１」を示しており、かつ、応答を受け付けた充電開始時刻と応答を受け付けた現在時刻との差分（つまり充電経過時間）と、マイコン２５０の内部のメモリに記憶している被充電開始時刻と内部の時計が示す現在時刻との差分（つまり、被充電経過時間）と、が同一もしくは略同一である場合に、送信元の外部機器が自装置に対して充電中の充電装置であると判断する。一方、それ以外の場合には、マイコン２５０は、応答を受け付けた外部機器が自装置に対して充電中の充電装置ではないと判断する。
【００４３】
応答を受け付けた外部機器が自装置に対して充電中の充電装置でないと判断した場合には、マイコン２５０は、再度ステップＳ３２０に戻り、他の外部機器に対して、機器検索コマンドを通知（報知）する（Ｓ３２０）。
一方、応答を受け付けた外部機器が自装置に対して充電中の充電装置であると判断した場合には、マイコン２５０は、ＤＤＤのＵＲＩを用いて充電装置に対してデータ取得要求コマンドを通知する（Ｓ３５０）。ＤＤＤのＵＲＩに対して取得要求コマンドを通知すると、マイコン２５０は、外部機器からＤＤＤを受信するまで待機する（Ｓ３６０）。
【００４４】
ＤＤＤを受信すると、マイコン２５０は、充電装置が写真アップロード機能に対応しているか否かを判断する（Ｓ３７０）。充電装置が写真アップロード機能を有していないと判断すると、マイコン２５０は、特別な処理を実行することなく、非接触被充電モジュール２１０からバッテリ２２０への充電処理を継続させる（Ｓ３８０）。一方、外部機器が写真アップロード機能を有していると判断すると、マイコン２５０は、メモリカード２７５に記憶されている写真等の画像データをＷｉＦｉモジュール２７０を介してレコーダ１００に対して送信する（Ｓ３９０）。画像データの送信が完了すると、マイコン２５０は、非接触被充電モジュール２１０からバッテリ２２０への充電処理を継続させる（Ｓ４００）。
【００４５】
このように、本実施形態におけるスマートフォン２００は、外部機器から取得した外部機器の状態に関する情報（少なくとも、充電状態フラグ）の内容に応じて、メモリカード２７５に記憶している画像データの全部又は一部を外部機器に送信するようＷｉＦｉモジュール２７０を制御する。これにより、スマートフォン２００は、自装置が充電を受け付けている充電装置にのみデータを送信できる。
【００４６】
１−４．レコーダ１００とスマートフォン２００との動作例
次に、レコーダ１００がスマートフォン２００に対して充電を行っている場合のレコーダ１００、スマートフォン２００、レコーダ３００の各動作例について図７を用いて説明する。図７は、レコーダ１００、スマートフォン２００、レコーダ３００の各動作例を説明するためのフローチャートである。
【００４７】
レコーダ１００の電源がＯＦＦの状態で、非接触充電モジュール１６０上にスマートフォン２００が置かれると、レコーダ１００は、スマートフォン２００に対して充電を開始する（Ｓ５００）。レコーダ１００による充電が開始されると、スマートフォン２００は、機器検索コマンドを同報通信により送信する（Ｓ５１０）。なお、この段階では、レコーダ１００のマイコン１３０は未だ起動中であり、起動を完了していない。この起動には約１分を要する。また、レコーダ３００は、この段階で起動が完了している。従って、起動が完了しているレコーダ３００が機器検索コマンドを受信する。
【００４８】
機器検索コマンドを受信すると、レコーダ３００は、充電状態フラグ（「０」が設定されている）と、充電開始時刻情報として設定されている無効値と、現在時刻情報と、ＤＤＤのＵＲＩとをスマートフォン２００に通知する（Ｓ５２０）。これにより、スマートフォン２００は、レコーダ３００が自装置に対して充電している充電装置でないことを認識する（Ｓ５３０）。
【００４９】
レコーダ３００が自装置に対して充電している充電装置ではないことを認識すると、スマートフォン２００は、他の外部機器であるレコーダ１００に対して機器検索コマンドを通知する（Ｓ５４０）。機器検索コマンドを受信すると、レコーダ１００は、充電状態フラグ（「１」が設定されている）と、充電開始時刻情報（サブマイコン１４０内のメモリに設定されている有効な値）と、現在時刻情報と、ＤＤＤのＵＲＩとをスマートフォン２００に対して通知する（Ｓ５５０）。これにより、スマートフォン２００は、レコーダ１００が自装置に対して充電している外部機器であることを認識する（Ｓ５６０）。
【００５０】
レコーダ１００が自装置に対して充電している充電装置であることを認識すると、スマートフォン２００は、レコーダ１００に対してデータ取得要求コマンドを通知する（Ｓ５７０）。データ取得要求コマンドを受信すると、レコーダ１００は、ＤＤＤ（写真アップロード機能有を示している）をスマートフォン２００に対して通知する（Ｓ５８０）。これにより、スマートフォン２００は、レコーダ１００が写真アップロード機能に対応していることを認識する。
【００５１】
レコーダ１００が写真アップロード機能に対応していることを認識すると、スマートフォン２００は、メモリカード２７５に記憶している写真等の画像データをレコーダ１００に対して送信する（Ｓ５９０）。
このように、本実施形態によれば、スマートフォン２００は、自装置が充電を受け付けている充電装置にのみ画像データ等のデータを送信できるし、レコーダ１００は、自装置が充電している被充電装置（本実施形態では、スマートフォン２００）のみから画像データ等のデータを受信できる。
２．他の実施の形態
以上、実施の形態１について説明したが、本発明は実施の形態１には限定されず他の様々な実施の形態に適用できる。他の実施形態の一例について以下に説明する。
【００５２】
（Ａ）実施の形態１においては、充電装置の一例としてレコーダ１００を示したが必ずしもこのような例に限定されない。例えば、充電装置としては、ＰＣやＮＡＳ等にも適用できる。
また、実施の形態１においては、レコーダ１００がスマートフォン２００を充電する場合について説明したが、レコーダ１００は複数の被充電装置を同時に充電することも可能である。この場合には、各被充電装置との間で上述のプロセスが実行される。
【００５３】
（Ｂ）実施の形態１においては、被充電装置の一例としてスマートフォン２００を示したが必ずしもこのような例に限定されない。例えば、被充電装置としては、デジタルカメラやポータブル音楽プレーヤ、或いは携帯電話や充電パック等にも適用できる。
（Ｃ）実施の形態１においては、通信部の一例としてＷｉＦｉモジュール１７０、ＷｉＦｉモジュール２７０を示したが必ずしもこのような例に限定されない。例えば、有線ＬＡＮ、ＰＬＣ、ＷｉＦｉＤｉｒｅｃｔ等にも適用できる。
【００５４】
（Ｄ）実施の形態１においては、スマートフォン２００に記憶されている画像データをレコーダ１００に送信する例を示したが必ずしもこのような例に限定されない。例えば、レコーダ１００に記憶されている番組データをスマートフォン２００に送信するような場合にも適用できる。
この場合、スマートフォン２００のマイコン２５０は、レコーダ１００が電力供給を行っている場合には、レコーダ１００に対してコンテンツの送信を要求するようＷｉＦｉモジュール２７０を制御し、レコーダ１００が電力供給を行っていない場合には、レコーダ１００に対してコンテンツの送信を要求するＷｉＦｉモジュール２７０を制御しなければよい。
【００５５】
（Ｅ）実施の形態１においては、スマートフォン２００からの画像データの送信は、レコーダ１００から充電を受けていることを認識した後に自動的に行われることとしたが、必ずしもこのような例には限定されない。例えば、スマートフォン２００は、レコーダ１００から充電を受け付けていることを認識した後に、コンテンツの転送を許可するか否かを使用者に問い合わせることとしてもよい。具体的には、スマートフォン２００は、レコーダ１００から充電を受けていることを認識された場合に、図８に示すように、コンテンツの送信指示を促す画像を液晶モニタ２７８に表示させる画像制御部を備えていてもよい。この場合、マイコン２５０は、使用者の送信指示を液晶モニタ２７８のタッチパネルで受け付けた場合にのみコンテンツの全部又は一部をレコーダ１００に送信する。これによって、必要な場合にのみ画像データを転送することができる。なお、上述の画像制御部は、マイコン２５０に含まれていてもよい。
【００５６】
（Ｆ）実施の形態１においては、レコーダ１００は、レコーダ１００（非接触充電モジュール１６０）が電力供給を行っているか否かを示す充電情報として、充電状態フラグ、充電開始時刻情報及び現在時刻情報をスマートフォン２００に送信することとしたが、充電情報は必ずしもこのような例には限定されない。
例えば、レコーダ１００は、充電情報として、充電状態フラグだけをスマートフォン２００に送信することとしてもよい。この場合、スマートフォン２００は、充電状態フラグが「１」であれば、レコーダ１００を充電装置として認識することとなる。
【００５７】
また、レコーダ１００は、充電情報として、充電開始時刻情報及び現在時刻情報だけをスマートフォン２００に送信することとしてもよい。さらに、レコーダ１００は、充電情報として、充電開始時刻と現在時刻との差分（すなわち、充電経過時間）だけをスマートフォン２００に送信してもよい。なお、一組の充電開始時刻情報及び現在時刻情報と充電経過時間とは、それぞれ、充電に関連する時間情報の一例である。この場合、スマートフォン２００は、充電に関連する時間情報の受信のみによって、レコーダ１００が充電装置であると認識することもできるが、受信した充電経過時間と自装置内での被充電経過時間とを比較することで、レコーダ１００が自装置に電力供給する充電装置であることを精度良く判断できる。
【００５８】
また、レコーダ１００は、充電情報として、スマートフォン２００内のバッテリの残容量に関する残容量情報等を用いてもよい。つまり、レコーダ１００は、スマートフォン２００から残容量情報を非接触充電モジュール１６０を介して受信し、受信した残容量情報をスマートフォン２００にＷｉＦｉモジュール１７０を介して送信する。これにより、スマートフォン２００は、残容量情報の受信のみによって、レコーダ１００が充電装置であると認識することもできるが、受信した残容量情報と、自装置内のバッテリの残容量の情報とを比較することで、レコーダ１００が自装置に電力供給する充電装置であるか否かを精度良く判断できる。
【００５９】
このように、充電情報には、充電状態フラグ、充電に関連する時間情報（一組の充電開始時刻情報及び現在時刻情報、又は、充電経過時間）及び残容量情報のうち少なくとも一つが含まれていればよい。充電情報に含まれる情報が多い程、スマートフォン２００は、レコーダ１００が自装置に電力供給する充電装置であるか否かを精度良く判断できる。
（Ｇ）実施の形態１において、レコーダ１００は、スマートフォン２００に無接触充電を行いながら、スマートフォン２００と無線通信を行うこととしたが、これに限られるものではない。本発明は、充電経路と通信経路とが２系統に分かれているケースに適用可能である。従って、レコーダ１００は、スマートフォン２００に対して接触充電（例えば、ケーブルを介した充電）を行ってもよいし、スマートフォン２００と有線通信を行ってもよい。
【００６０】
（附記）
本発明の他の特徴を以下に附記する。
（i）本発明に係る被充電装置は、外部機器からの電力供給を受け付ける被充電部と、外部機器との通信を行う通信部と、コンテンツを記憶する記憶部と、画像を表示する表示部と、前記通信部を介して外部機器から取得した該外部機器が電力供給を行っているか否かに関する充電情報の内容に応じて、前記コンテンツの前記外部機器への送信指示を促す画像を前記表示部に表示させる画像表示部と、前記送信指示に応じて、前記記憶部に記憶しているコンテンツの全部又は一部を前記外部機器に送信するよう前記通信部を制御する制御部と、を備える。
【００６１】
（ii）本発明に係る充電システムは、被充電装置と、充電装置と、を備える。被充電装置は、電力供給を受け付け可能な被充電部と、通信可能な第１通信部と、コンテンツを記憶する記憶部と、前記被充電部が電力供給を受け付けた場合に、問い合わせを前記第１通信部から報知させる第１制御部と、を有する。充電装置は、非接触で電力供給可能な充電部と、無線通信可能な第２通信部と、前記第２通信部を介して受信される前記問い合わせに応じて、前記充電部が電力供給を行っているか否かを示す充電情報を、前記第２通信部から前記被充電装置へ送信させる第２制御部と、を有する。前記第１制御部は、前記第１通信部を介して受信される前記充電情報に基づいて、前記被充電部の電力供給元が前記充電装置であると判定された場合に、前記コンテンツの全部又は一部を前記第１通信部から前記充電装置へ送信させる。
【産業上の利用可能性】
【００６２】
本発明はレコーダや充電クレードル等の充電装置に適用できる。また、本発明は携帯電話やスマートフォンやデジタルカメラ等の被充電装置に適用できる。
【符号の説明】
【００６３】
１００  レコーダ
１１０  アンテナ
１２０  チューナ
１３０  マイコン
１３５  フラッシュメモリ
１４０  サブマイコン
１５０  ＡＣ電源
１６０  非接触充電モジュール
１７０  ＷｉＦｉモジュール
１７５  リモコン受信部
１７８  リモコン
１８０  ＨＤＤ
１９０  ＨＤＭＩ（登録商標）モジュール
２００  スマートフォン
２１０  非接触被充電モジュール
２２０  バッテリ
２３０  カメラ
２４０  ３Ｇアンテナ
２４５  スピーカ
２４６  マイク
２５０  マイコン
２６０  フラッシュメモリ
２７０  ＷｉＦｉモジュール
２７５  メモリカード
２７８  液晶モニタ
２８０  アクセスポイント
【国際調査報告】
2013080393.tif 000011
2013080393.tif 000012